(57)【要約】【構成】  ＣＰＵ２６は、ショートカットキー３２ｂが押下されると、複数のサブメニュー画面のいずれか１つを表示中であるか否かを判別し、判別結果が肯定的であれば、表示中のサブメニュー画面の識別子をテーブル３０Ｔに登録する。一方、判別結果が否定的であれば、テーブル３０Ｔに登録された識別子を項目として含むショートカットメニュー画面を表示し、そこに含まれる項目の１つを選択する操作を受け付け、そして表示されているショートカットメニュー画面を選択された項目に対応するサブメニュー画面で更新する。【効果】  操作性が向上する。【選択図】  図１
2007249451.tif 000002
【特許請求の範囲】
【請求項１】
階層化された複数のメニュー画面の各々を項目選択操作に応答して順次表示するメニュー表示装置において、
特定操作が行われたとき前記複数のメニュー画面のいずれか１つを表示中であるか否かを判別する判別手段、
前記判別手段の判別結果が肯定的であるとき表示中のメニュー画面の識別子をテーブルに登録する登録手段、
前記判別手段の判別結果が否定的であるとき前記テーブルに登録された識別子を項目として含むショートカットメニュー画面を表示するショートカットメニュー画面表示手段、
前記ショートカットメニュー画面に含まれる項目の１つを選択する項目選択操作を前記ショートカットメニュー画面表示手段の表示処理に関連して受け付ける受付手段、および
前記ショートカットメニュー画面表示手段によって表示されているショートカットメニュー画面を前記項目選択操作によって選択された項目に対応するメニュー画面で更新するショートカットメニュー画面更新手段を備えることを特徴とする、メニュー表示装置。
【請求項２】
前記特定操作は単一のキーを押下する操作である、請求項１記載のメニュー表示装置。
【請求項３】
前記ショートカットメニュー画面表示手段によって表示されているショートカットメニュー画面から任意の項目を削除する項目削除操作に応答して当該項目に対応する識別子を前記テーブルから削除する削除手段をさらに備える、請求項１または２記載のメニュー表示装置。
【請求項４】
階層化された複数のメニュー画面の各々を項目選択操作に応答して順次表示するメニュー表示装置のプロセサに、
特定操作が行われたとき前記複数のメニュー画面のいずれか１つを表示中であるか否かを判別する判別ステップ、
前記判別ステップの判別結果が肯定的であるとき表示中のメニュー画面の識別子をテーブルに登録する登録ステップ、
前記判別ステップの判別結果が否定的であるとき前記テーブルに登録された識別子を項目として含むショートカットメニュー画面を表示するショートカットメニュー画面表示ステップ、
前記ショートカットメニュー画面に含まれる項目の１つを選択する項目選択操作を前記ショートカットメニュー画面表示ステップの表示処理に関連して受け付ける受付ステップ、および
前記ショートカットメニュー画面表示ステップによって表示されているショートカットメニュー画面を前記項目選択操作によって選択された項目に対応するメニュー画面で更新するショートカット更新ステップを実行させるための、メニュー制御プログラム。
【請求項５】
階層化された複数のメニュー画面の各々を項目選択操作に応答して順次表示するメニュー表示装置によって実行されるメニュー制御方法であって、
特定操作が行われたとき前記複数のメニュー画面のいずれか１つを表示中であるか否かを判別する判別ステップ、
前記判別ステップの判別結果が肯定的であるとき表示中のメニュー画面の識別子をテーブルに登録する登録ステップ、
前記判別ステップの判別結果が否定的であるとき前記テーブルに登録された識別子を項目として含むショートカットメニュー画面を表示するショートカットメニュー画面表示ステップ、
前記ショートカットメニュー画面に含まれる項目の１つを選択する項目選択操作を前記ショートカットメニュー画面表示ステップの表示処理に関連して受け付ける受付ステップ、および
前記ショートカットメニュー画面表示ステップによって表示されているショートカットメニュー画面を前記項目選択操作によって選択された項目に対応するメニュー画面で更新するショートカット更新ステップを備える、メニュー制御方法。
【発明の詳細な説明】
【技術分野】
【０００１】
この発明は、メニュー表示装置に関し、特にたとえばテレビジョン受信機に適用され、階層化されたメニュー画面を項目選択操作に応答して順次表示する、メニュー表示装置に関する。
【背景技術】
【０００２】
最近のテレビジョン受信機は、高機能化に伴ってメニュー階層が深くなり、操作が難しくなってきている。なお、頻繁に利用する機能について専用の操作キーを設ける方法もあるが、リモコンの大きさの制限などから、あまり操作キーを増やすと却って操作性が悪化しかねない。
【０００３】
このような問題点を解決する従来技術としては、特許文献１に開示されたものが知られている。この従来技術は、階層化された複数のメニュー画面の各々から全てのメニュー項目を抽出し、抽出されたメニュー項目を単一の画面内に一覧表示する。ユーザは、この一覧画面から項目を選択することで、メインメニュー画面から階層を下ることなく、所望のメニュー画面を一気に表示させることができる。
【特許文献１】特開２００１−３５６８５７号公報〔Ｇ０６Ｆ ３／００〕
【発明の開示】
【発明が解決しようとする課題】
【０００４】
しかし、従来技術では、選択可能な全ての項目を単一画面内に表示するので、所望の項目を選択する操作が面倒である。
【０００５】
それゆえに、この発明の主たる目的は、操作性を向上させることができる、メニュー表示装置を提供することである。
【課題を解決するための手段】
【０００６】
請求項１の発明に従うメニュー表示装置は、階層化された複数のメニュー画面の各々を項目選択操作に応答して順次表示するメニュー表示装置において、特定操作が行われたとき複数のメニュー画面のいずれか１つを表示中であるか否かを判別する判別手段(S33)、判別手段の判別結果が肯定的であるとき表示中のメニュー画面の識別子をテーブル(30T)に登録する登録手段(S37)、判別手段の判別結果が否定的であるときテーブルに登録された識別子を項目として含むショートカットメニュー画面を表示するショートカットメニュー画面表示手段(S39)、ショートカットメニュー画面に含まれる項目の１つを選択する項目選択操作をショートカットメニュー画面表示手段の表示処理に関連して受け付ける受付手段(S41)、およびショートカットメニュー画面表示手段によって表示されているショートカットメニュー画面を項目選択操作によって選択された項目に対応するメニュー画面で更新するショートカットメニュー画面更新手段(S47)を備えることを特徴とする。
【０００７】
特定操作が行われると、複数のメニュー画面のいずれか１つを表示中であるか否かが判別手段によって判別され、この判別結果が肯定的であれば、表示中のメニュー画面の識別子が登録手段によってテーブルに登録される。
【０００８】
一方、上記の判別結果が否定的であれば、テーブルに登録された識別子を項目として含むショートカットメニュー画面がショートカットメニュー画面表示手段によって表示される。この表示処理に関連して、ショートカットメニュー画面に含まれる項目の１つを選択する項目選択操作が受付手段によって受け付けられると、表示されているショートカットメニュー画面は、ショートカットメニュー画面更新手段によって、選択されたショートカットメニュー項目に対応するメニュー画面で更新される。
【０００９】
したがって、ユーザは、所望のメニュー画面を表示中に特定操作を行うことで、このメニュー画面へのリンクをショートカットメニューに追加できる。また、サブメニュー以外の画面を表示中に特定操作を行うことでショートカットメニュー画面を表示させ、そして項目選択操作を行うことで所望のメニュー画面を表示させることができる。
【００１０】
この場合、ショートカットメニュー画面にはユーザが必要とするメニュー画面に対応する項目しか含まれないので、所望の項目を選択する操作は容易である。また、ショートカットメニューへの登録は、そのメニュー画面を現に表示しているとき特定操作を行うだけで完了するので、ショートカットメニュー作成のための特別なメニュー操作などは不要である。このため、操作性が向上する。
【００１１】
請求項２の発明に従うメニュー表示装置は、請求項１に従属し、特定操作は単一のキー(32b)を押下する操作である。
【００１２】
単一のキーによって、ショートカットメニュー項目の登録と、ショートカットメニュー画面の表示とを行えるので、操作性が一層向上する。
【００１３】
請求項３の発明に従うメニュー表示装置は、請求項１または２に従属し、ショートカットメニュー画面表示手段によって表示されているショートカットメニュー画面から任意の項目を削除する項目削除操作に応答して当該項目に対応する識別子をテーブルから削除する削除手段(S49)をさらに備える。
【００１４】
表示されているショートカットメニュー画面から任意の項目を削除する項目削除操作が行われると、この項目に対応する識別子が削除手段によってテーブルから削除される。これによって、必要性の低下したメニュー画面に対応する項目をショートカットメニュー画面から削除でき、操作性がより一層向上する。
【００１５】
請求項４の発明に従うメニュー制御プログラムは、階層化された複数のメニュー画面のいずれか１つを項目選択操作に応答して順次表示するメニュー表示装置(10)のプロセサ(26)に、特定操作が行われたとき複数のメニュー画面のいずれか１つを表示中であるか否かを判別する判別ステップ(S33)、判別ステップの判別結果が肯定的であるとき表示中のメニュー画面の識別子をテーブル(30T)に登録する登録ステップ(S37)、判別ステップの判別結果が否定的であるときテーブルに登録された識別子を項目として含むショートカットメニュー画面を表示するショートカットメニュー画面表示ステップ(S39)、ショートカットメニュー画面に含まれる項目の１つを選択する項目選択操作をショートカットメニュー画面表示ステップの表示処理に関連して受け付ける受付ステップ(S41)、およびショートカットメニュー画面表示ステップによって表示されているショートカットメニュー画面を項目選択操作によって選択された項目に対応するメニュー画面で更新するショートカット更新ステップ(S47)を実行させる。
【００１６】
請求項５の発明に従うメニュー制御方法は、階層化された複数のメニュー画面のいずれか１つを項目選択操作に応答して順次表示するメニュー表示装置(10)によって実行される方法であって、特定操作が行われたとき複数のメニュー画面のいずれか１つを表示中であるか否かを判別する判別ステップ(S33)、判別ステップの判別結果が肯定的であるとき表示中のメニュー画面の識別子をテーブル(30T)に登録する登録ステップ(S37)、判別ステップの判別結果が否定的であるときテーブルに登録された識別子を項目として含むショートカットメニュー画面を表示するショートカットメニュー画面表示ステップ(S39)、ショートカットメニュー画面に含まれる項目の１つを選択する項目選択操作をショートカットメニュー画面表示ステップの表示処理に関連して受け付ける受付ステップ(S41)、およびショートカットメニュー画面表示ステップによって表示されているショートカットメニュー画面をショートカット項目選択操作によって選択された項目に対応するメニュー画面で更新するショートカット更新ステップ(S47)を備える。
【発明の効果】
【００１７】
この発明によれば、メニュー表示装置において、操作性が向上する。また、この結果、特にテレビジョン受像機において、操作キーの個数の削減も期待できる。
【００１８】
この発明の上述の目的，その他の目的，特徴および利点は、図面を参照して行う以下の実施例の詳細な説明から一層明らかとなろう。
【発明を実施するための最良の形態】
【００１９】
図１を参照して、この実施例のディジタル放送受信機１０は、ディジタルチューナ１２を含む。ディジタルチューナ１２へは、図示しないアンテナからディジタルテレビ放送用の高周波信号が入力される。ディジタルチューナ１２は、入力された高周波信号をベースバンド信号に変換し、変換されたベースバンド信号をＴＳ（Transport Stream）に復調する。そして、復調されたＴＳから特定チャネルに対応するＰＥＳ（Packetized Elementary Stream）を抽出する。
【００２０】
抽出されたＰＥＳは、ＭＰＥＧデコーダ１４に与えられる。ＭＰＥＧデコーダ１４は与えられたＰＥＳをデコードし、これにより得られた番組映像データが加算器１６を介してＮＴＳＣ（National Television Standards Committee）エンコーダ２０に与えられる。ＮＴＳＣエンコーダ２０は、与えられた番組映像データをＮＴＳＣ方式に従う映像信号に変換し、変換された映像信号をテレビモニタ２２に向けて出力する。この結果、受信中の番組の映像がテレビモニタ２２に表示される。
【００２１】
また、ＰＥＳをデコードして得られる番組音声データは、音声処理回路３４で必要に応じてサラウンド処理などの音声処理を施された後、Ｄ／Ａ変換回路３６に与えられる。Ｄ／Ａ変換回路３６は、与えられた番組音声データをアナログの音声信号に変換し、そして変換された音声信号をスピーカ３８に向けて出力する。この結果、受信中の番組の音声がスピーカ３８から出力される。
【００２２】
なお、別のチャネルを選択する操作つまり選局操作がリモコン３２によって行われると、ＣＰＵ２６は、この選局操作に従う選局命令をディジタルチューナ１２に向けて発行する。この結果、新たに選局されたチャネルの番組映像が表示されかつ番組音声が出力される。
【００２３】
リモコン３２によってメインメニュー表示操作が行われると、より具体的にはメニューキー３２ａが押下されると、メインメニュー画面が表示される（図４参照）。メインメニュー画面には、“映像調整”，“音声調整”などといった複数の項目が含まれている。ここで所望の項目を選択する項目選択操作がリモコン３２によって行われると、メインメニュー画面は、選択された項目に対応するサブメニュー画面に更新される。なお、項目選択操作は、リモコン３２のカーソルキー／決定キー（図示せず）を利用して行われる（以下同様）。
【００２４】
例えば“音声調整”が選択された場合、メインメニュー画面は音声調整メニュー画面によって更新される（図５参照）。音声調整メニュー画面は“高音”，“低音”および“サラウンド”など複数の項目を含んでおり、このうちいずれかの項目が選択されると、その項目に該当する音声調整処理が実行される。例えば“高音”が選択された場合、ＣＰＵ２６は、リモコン３２の操作に従って、番組音声データの高域成分を増大または減少させるような設定を音声処理回路３４に対して行う。また、“サラウンド”が選択された場合、リモコン３２の操作に従い、サラウンド処理に関するモード設定（オン／オフ）を切り換える。
【００２５】
一方、こうして音声調整メニュー画面が表示された状態でリモコン３２のショートカットキー３２ｂが押下されると、画面内に選択ボックス５０が挿入される（図６参照）。選択ボックス５０には、現在表示中の画面をショートカットメニューに追加するか否かを問いかけるメッセージと、２つの応答項目すなわち“はい”および“いいえ”とが含まれる。ここでリモコン３２によって“はい”が選択されると、音声調整メニュー画面の識別情報、具体的には、音声調整メニュー画面へのリンク情報と、ショートカットメニュー項目として“音声調整”とがフラッシュメモリ３０内のテーブル３０Ｔに登録される。
【００２６】
図２を参照して、テーブル３０Ｔは、例えば４つの登録欄（番号１〜４）を含み、最大で４つのサブメニュー画面を登録することができる。これらの登録欄１〜４の各々には終始点座標が割り当てられている。例えば、登録欄１には、終始点座標として（ｘ１，ｙ１）〜（ｘ２，ｙ２）が割り当てられている。ここで（ｘ１，ｙ１）〜（ｘ２，ｙ２）は、ＲＡＭ２８に形成されたキャラクタ描画エリア２８Ｅ内の領域Ｅ１（図３参照）を定義する。
【００２７】
このため、登録欄１に登録されたショートカットメニュー項目は、キャラクタ描画エリア２８Ｅの領域Ｅ１に書き込まれる。同様に、登録欄２〜４に登録されたショートカットメニュー項目は領域Ｅ２〜Ｅ４にそれぞれ書き込まれる。
【００２８】
また、メインメニュー画面で“システム設定”が選択された場合（図７参照）には、メインメニュー画面はシステム設定メニュー画面によって更新される（図８参照）。システム設定メニュー画面は、“受信設定”，“回線設定”，“出力設定”など複数の項目を含んでおり、このうちいずれかの項目が選択されると、その項目に該当するサブメニュー画面によって更新される。例えば“出力設定”が選択された場合、出力設定メニュー画面によって更新される（図９参照）。出力設定メニュー画面は“光出力設定”，“字幕設定”など複数の項目を含んでおり、このうちいずれかの項目が選択されると、その項目に該当する出力設定処理が実行される。例えば“字幕設定”が選択された場合、ＣＰＵ２６は、リモコン３２の操作に従い、字幕挿入処理に関するモード設定（第１言語／第２言語／なし）を切り換える。
【００２９】
一方、こうして出力設定メニュー画面が表示された状態でショートカットキー３２ｂが押下されると、画面内に選択ボックス５０が挿入される（図１０参照）。選択ボックス５０には、現在表示中の画面をショートカットメニューに追加するか否かを問いかけるメッセージと、２つの応答項目すなわち“はい”および“いいえ”とが含まれる。ここでリモコン３２によって“はい”が選択されると、出力設定メニュー画面へのリンク情報と、ショートカットメニュー項目として“出力設定”とがテーブル３０Ｔに登録される（図２参照）。このようなショートカット登録処理の結果として、テーブル３０Ｔには現在、図２のような情報が登録されている。
【００３０】
この後、サブメニュー以外の画面が表示された状態、例えば番組画面が表示された状態（図１１参照）でショートカットキー３２ｂが押下されると、表示画面はショートカットメニュー画面によって更新される（図１２参照）。ショートカットメニュー画面は、キャラクタ描画エリア２８Ｅ内のデータに基づいて描画され、テーブル３０Ｔに登録された１つないし４つのショートカットメニュー項目を含む。従って、図１２の画面では、２つのショートカットメニュー項目すなわち“音声調整”および“出力調整”が、キャラクタ描画エリア２８Ｅ内の領域Ｅ１およびＥ２の位置にそれぞれ配置されている。
【００３１】
この後、リモコン３２によって所望のショートカットメニュー項目を選択するショートカットメニュー項目選択操作が行われると、ＣＰＵ２６は、選択されたショートカットメニュー項目に対応する移動先をテーブル３０Ｔから読み取り、読み取られた移動先に該当するサブメニュー画面の表示をキャラクタジェネレータ１８に命令する。なお、ショートカットメニュー項目選択操作にも、他の項目選択操作と同様、リモコン３２のカーソル／決定キー（図示せず）が利用される。この結果、ショートカットメニュー画面は、選択されたショートカットメニュー項目に対応するサブメニュー画面によって更新される。
【００３２】
例えば“音声調整”が選択されると、ショートカットメニュー画面は音声調整メニュー画面（図５参照）によって更新され、“出力設定”が選択されると出力設定メニュー画面（図９参照）によって更新される。
【００３３】
テレビ番組の視聴では、例えば放送開始前など一度に、いくつかのメニュー画面を利用する場合あるが、この種の項目をショートカットメニュー項目として登録しておくことで、メインメニュー画面から目的のサブメニュー画面まで階層を下る必要がなくなり、操作性が向上する。なお、登録は、そのメニュー画面を現に表示しているときショートカットキー３２ｂを押下するだけで完了するので、特別なメニュー操作などは不要である。
【００３４】
また、いずれかのショートカットメニュー項目を削除する削除操作が行われると、ＣＰＵ２６は、その項目に対応するサブメニュー画面の識別子をテーブル３０Ｔから削除する。これによって、登録項目数の抑制が可能となり、操作性の悪化を回避できる。
【００３５】
以上のような動作を行うに当たって、ＣＰＵ２６は、μＩＴＲＯＮなどのマルチタスクＯＳの制御下で、図１３に示すメインタスクと、図１４に示すショートカットメニュー制御タスクとを並列的に処理する。なお、これらのフロー図に対応する制御プログラムは、ＲＯＭ２４に格納されている。
【００３６】
最初、メインタスクについて説明する。図１３を参照して、まずステップＳ１で、テレビ受信処理開始命令を発行する。この命令に応じて、ディジタルチューナ１２は所定チャネルに対応するＰＥＳを出力する動作を開始し、ＭＰＥＧデコーダ１４は出力されたＰＥＳをデコードして番組映像データおよび番組音声データを出力する動作を開始する。出力された番組映像データは、ＮＴＳＣエンコーダ２０によって映像信号に変換され、出力された番組音声データは、音声処理回路３４でサラウンド処理などの音声処理を施され、そしてＤ／Ａ変換回路３６によって音声信号に変換される。変換された映像信号および変換された音声信号はテレビモニタ２２およびスピーカ３８に与えられ、これによって、番組映像が表示され、かつ番組音声が出力される。
【００３７】
命令発行後、ＣＰＵ２６の処理はステップＳ３〜Ｓ７のループに入る。ステップＳ３ではチャネル切換操作の有無を判別し、ステップＳ５ではメインメニュー表示操作の有無を判別し、そしてステップＳ７では他の操作の有無を判別する。リモコン３２によってチャネル切換操作が行われるとステップＳ３からステップＳ９に移って、行われた操作に従うチャネルの選局をディジタルチューナ１２に命令する。応じてディジタルチューナ１２は選局処理を行い、表示映像および出力音声は別の番組のものに切り換わる。命令後、ステップＳ３〜Ｓ７のループに戻る。
【００３８】
メニューキー３２ａが押下されるとステップＳ５でＹＥＳと判別し、ステップＳ１１に移る。ステップＳ１１では、メインメニューの表示をキャラクタジェネレータ１８に命令する。応じてキャラクタジェネレータ１８は、メインメニュー画面（図４参照）を加算器１６およびＮＴＳＣエンコーダ２０を通してテレビモニタ２２に出力する。命令後、ステップＳ１５およびＳ１７のループに入る。
【００３９】
ステップＳ１５ではメインメニュー画面内のいずれかの項目を選択する選択操作が行われたか否かを判別し、ステップＳ１７ではキャンセル操作が行われたか否かを判別する。ステップＳ１５でＹＥＳであればステップＳ１９に移り、ステップＳ１７でＹＥＳであればステップＳ３〜Ｓ７のループに戻る。
【００４０】
ステップＳ１９では、より下位のメニュー画面が存在すればその表示をキャラクタジェネレータ１８に命令し、そうでなければ（すなわち最下位のメニュー画面であれば）選択項目に該当する処理を実行する。この結果、例えばメインメニュー画面は音声調整メニュー画面によって更新され（図５参照）、また、例えば音声調整メニュー画面が表示されている場合には画面内に選択ボックス５０が挿入される（図６参照）。命令または処理実行の後、ステップＳ３〜Ｓ７のループに戻る。
【００４１】
リモコン３２によって他の操作が行われると、ステップＳ７からステップＳ１３に移って、行われた操作に従う処理を実行し、そしてステップＳ３〜Ｓ７のループに戻る。
【００４２】
次に、ショートカットメニュー制御タスクについて説明する。図１４を参照して、まずステップＳ３１で、ショートカットキー押下操作の有無を判別する。リモコン３２のショートカットキー３２ｂが押下されると、ステップＳ３１でＹＥＳと判別し、ステップＳ３３に移って、現在いずれかのメニュー画面を表示中であるか否かを判別する。
【００４３】
ステップＳ３３でＹＥＳであればステップＳ３５に移って、表示中のメニュー画面へのショートカットが未登録であるか否かを判別する。表示中のサブメニュー画面の識別子が既にテーブル３０Ｔに登録されていれば、ステップＳ３５でＮＯと判別し、ステップＳ３１に戻る。ステップＳ３５でＹＥＳであれば、すなわち表示中のサブメニュー画面の識別子が未だテーブル３０Ｔに登録されていなければ、ステップＳ３７に移り、表示中のサブメニュー画面の識別子をショートカットメニュー項目としてテーブル３０Ｔに登録する。
【００４４】
従って、例えば音声調整メニュー画面の表示中（図５参照）にショートカットキー３２ｂが押下されると“音声調整”がテーブル３０Ｔに登録され、また、例えば出力設定メニュー画面の表示中（図９参照）にショートカットキー３２ｂが押下されると“出力設定”がテーブル３０Ｔに登録される結果となる（図２参照）。登録後、ステップＳ３１に戻る。
【００４５】
ステップＳ３３でＮＯであれば、ステップＳ３９に移って、ショートカットメニューの表示をキャラクタジェネレータ１８に命令する。従って、例えば番組画面の表示中（図１１参照）にショートカットキー３２ｂが押下されると、番組画面はショートカットメニュー画面（図１２参照）によって更新される。命令後、ステップＳ４１〜Ｓ４５のループに入る。
【００４６】
ステップＳ４１では項目選択操作の有無を判別し、ステップＳ４３では項目削除操作の有無を判別し、そしてステップＳ４５ではキャンセル操作の有無を判別する。ショートカットメニュー画面でいずれかの項目が選択され、さらに選択ボックス５０の問いかけに対して“はい”が選択されると、ステップＳ４１でＹＥＳと判別し、ステップＳ４７に移る。ステップＳ４７では、選択された項目に対応するメニュー画面の表示をキャラクタジェネレータ１８に命令する。
【００４７】
従って、例えばショートカットメニュー画面で“音声調整”が選択されると、ショートカットメニュー画面は音声調整メニュー画面（図５参照）によって更新される。同様に、例えば“出力設定”が選択されると、出力設定メニュー画面（図９参照）によって更新される。命令後、ステップＳ３１に戻る。
【００４８】
ショートカットメニュー画面でいずれかの項目が選択され、そしてリモコン３２によって削除操作が行われると、ステップＳ４３からステップＳ４９に移り、選択された項目に対応するサブメニュー画面の識別子をテーブル３０Ｔから削除する。そして、ステップＳ４１〜Ｓ４５のループに戻る。
【００４９】
ショートカットメニュー画面が表示された状態でキャンセル操作が行われると、ステップＳ４５からステップＳ３１に戻る。
【００５０】
以上から明らかなように、この実施例では、ＣＰＵ２６は、ショートカットキー３２ｂが押下されると（Ｓ３１）、複数のサブメニュー画面のいずれか１つを表示中であるか否かを判別し（Ｓ３３）、判別結果が肯定的であれば、表示中のサブメニュー画面の識別子をテーブル３０Ｔに登録する（Ｓ３７）。一方、判別結果が否定的であれば、テーブル３０Ｔに登録された識別子を項目として含むショートカットメニュー画面を表示し（Ｓ３９）、そこに含まれる項目の１つを選択する項目選択操作を受け付ける（Ｓ４１）。そして、表示されているショートカットメニュー画面を、選択された項目に対応するサブメニュー画面で更新する（Ｓ４７）。
【００５１】
したがって、ユーザは、所望のサブメニュー画面を表示中にショートカットキー３２ｂを押下することで、このサブメニュー画面へのリンクをショートカットメニューに追加できる。また、サブメニュー以外の画面を表示中にショートカットキー３２ｂを押下することでショートカットメニュー画面を表示させ、そして所望の項目を選択することで所望のサブメニュー画面を表示させることができる。
【００５２】
この場合、ショートカットメニュー画面にはユーザが必要とするサブメニュー画面に対応する項目しか含まれないので、所望の項目を選択する操作は容易である。また、ショートカットメニューへの登録は、そのサブメニュー画面を現に表示しているとき特定操作を行うだけで完了するので、ショートカットメニュー作成のための特別なメニュー操作などは不要である。このため、操作性が向上する。
【００５３】
なお、この実施例では、専用のショートカットキー３２ｂを設けたが、既存のキー／ボタン類のいずれか（例えば４個のカラーボタンのうち１個）を利用してもよい。
【００５４】
なお、以上では、ディジタル放送受信機１０について説明したが、この発明は、階層化された複数のメニュー画面を順次表示するメニュー表示機能を有するコンピュータ装置（メニュー表示装置）に適用できる。
【００５５】
また、以上では、階層を辿ることなく所望のメニュー画面を一気に表示させる態様を“ショートカット”と呼んでいるが、このような表示態様は、“ジャンプ”，“一発表示”など他の名前で呼ばれる場合もある。
【図面の簡単な説明】
【００５６】
【図１】この発明の一実施例の構成を示すブロック図である。
【図２】図１実施例に適用されるテーブルの一例を示す図解図である。
【図３】図１実施例に適用されるメモリマップの一例を示す図解図である。
【図４】図１実施例に適用される表示画面の一例を示す図解図である。
【図５】図１実施例に適用される表示画面の他の一例を示す図解図である。
【図６】図１実施例に適用される表示画面のその他の一例を示す図解図である。
【図７】図１実施例に適用される表示画面のさらにその他の一例を示す図解図である。
【図８】図１実施例に適用される表示画面の他の一例を示す図解図である。
【図９】図１実施例に適用される表示画面のその他の一例を示す図解図である。
【図１０】図１実施例に適用される表示画面のさらにその他の一例を示す図解図である。
【図１１】図１実施例に適用される表示画面の他の一例を示す図解図である。
【図１２】図１実施例に適用される表示画面のその他の一例を示す図解図である。
【図１３】図１実施例に適用されるＣＰＵ処理の一部を示すフロー図である。
【図１４】図１実施例に適用されるＣＰＵ処理の他の一部を示すフロー図である。
【符号の説明】
【００５７】
１０…ディジタル放送受信機
１２…ディジタルチューナ
１４…ＭＰＥＧデコーダ
１６…加算器
１８…キャラクタジェネレータ
２６…ＣＰＵ
２８…ＲＡＭ
２８Ｅ…キャラクタ描画エリア
３０…フラッシュメモリ
３０Ｔ…テーブル
３２…リモコン
３２ａ…メニューキー
３２ｂ…ショートカットキー
【図１】
2007249451.tif 000003
【図２】
2007249451.tif 000004
【図３】
2007249451.tif 000005
【図４】
2007249451.tif 000006
【図５】
2007249451.tif 000007
【図６】
2007249451.tif 000008
【図７】
2007249451.tif 000009
【図８】
2007249451.tif 000010
【図９】
2007249451.tif 000011
【図１０】
2007249451.tif 000012
【図１１】
2007249451.tif 000013
【図１２】
2007249451.tif 000014
【図１３】
2007249451.tif 000015
【図１４】
2007249451.tif 000016